(57)【特許請求の範囲】
【請求項１】
電動送風機とこの電動送風機の上流側に連通する集塵部を備えた掃除機本体と、
底面に塵埃吸込溝を有した吸込本体とこの吸込本体を左右方向に回動可能に支持する接続部を有した吸込口体と、
一端に把手部を有し他端が前記吸込口体の接続部に接続される操作体と、
前記掃除機本体を前記操作体の周囲に回動支持する回動機構と
を有することを特徴とする電気掃除機。
【発明の詳細な説明】
【技術分野】
【０００１】
本発明は、縦型の電気掃除機に関するものである。
【背景技術】
【０００２】
従来の縦型の電気掃除機は、把手部を有し吸込口体に接続される操作体と、電動送風機と集塵部を備えた掃除機本体とが一体的に構成されており、掃除中に床面上の吸込口体の移動方向を変えるために、使用者が操作体を回転させると、操作体と掃除機本体が一体的に回ることとなり、掃除機本体の重量に従った大きな力が把手部に掛かる。
これを軽減するために、吸込口体の後部に設けられている車輪と把手を結ぶ直線に対して、掃除機本体の重心を近づけることが知られている（例えば、特許文献１参照）。
【特許文献１】特開2005−110714号公報  （段落 0005）
【発明の開示】
【発明が解決しようとする課題】
【０００３】
しかしながら、特許文献１に記載されているように
吸込口体の後部に設けられている車輪と把手を結ぶ直線に対して、掃除機本体の重心を近づけても、操作体の回転に対して掃除機本体が一体的に回ることは変わらない。
また、従来の縦型の電気掃除機として、
操作体に対して掃除機本体が上に付いているものでは、操作体が回転される方向に掃除機本体の重心が移り、回転が促進されて移動方向が大きく変わってしまうという問題があり、
操作体に対して掃除機本体が下に付いているものでは、操作体が回転される方向とは逆の方向に掃除機本体を持ち上げることとなり把手部の操作が重くなると共に、持ち上げられた掃除機本体によって全体の重心が吸込口体の移動方向とは逆となるため、移動方向を変えづらくなるという問題がある。
従来の技術では、このような把手部への掃除機本体の重量の影響を十分に低減することが出来なかった。
【０００４】
本発明は、上記事情によりなされたものであり、吸込口体の移動方向を変えるための操作体の回転に対する、掃除機本体の重量の影響を低減することを目的とする。
【課題を解決するための手段】
【０００５】
上記目的を達成するために、本発明の電気掃除機では、
電動送風機とこの電動送風機の上流側に連通する集塵部を備えた掃除機本体と、
底面に塵埃吸込溝を有した吸込本体とこの吸込本体を左右方向に回動可能に支持する接続部を有した吸込口体と、
一端に把手部を有し他端が前記吸込口体の接続部に接続される操作体と、
前記掃除機本体を前記操作体の周囲に回動支持する回動機構とを有することを特徴とする。
【発明の効果】
【０００６】
本発明の電気掃除機によると、掃除機本体が操作体に対して回動自在に支持されているので、掃除をする方向を変えるための操作体の回転に対する、掃除機本体の重量の影響を低減することが出来る。
【発明を実施するための最良の形態】
【０００７】
以下、本発明による電気掃除機の一実施形態を、図１〜図３を参照して説明する。
【０００８】
なお、本明細書中の説明において、
前方とは電気掃除機１の前進方向すなわち図１における矢印方向Ａを意味し、後方とは前記矢印方向Ａと反対の方向を意味するものとする。
左右方向とは、矢印方向Ａに対して略直行する方向を意味するものとする。
また、重力方向とは、矢印方向Ｂを意味するものとする。
【０００９】
図１ないし図２に示した掃除機は、スティック型、アップライト型などと呼ばれる、いわゆる縦型の掃除機である。
この掃除機は、集塵部１１と電動送風機１２を内蔵する掃除機本体１８と、この掃除機本体１８に接続された風路部材とで構成されている。
【００１０】
この風路部材は、
底面に塵埃吸込溝を有した吸込本体１９と、
吸込本体１９に接続されており吸込本体１９を前後方向に係動自在かつ左右方向に回動自在に支持する接続部２０を有した吸込口体２１と、
一端に使用者に保持される把手２３が設けられている把手部２４と、他端が吸込口体２１の接続部２０に接続される延長管２７よりなる操作体２８と、
把手部２４と掃除機本体１８を繋ぐホース２６などで構成されている。
【００１１】
各風路部材は中空であり、これら各風路部材の中空部が接続されることで、風路が構成されており、
把手２３に設けられた電源スイッチ２５が押されると、電動送風機１２に給電され、電動送風機１２の動作により吸込口体２１から吸込まれた塵埃を含む空気は、風路を経由して掃除機本体１８の集塵部１１で塵埃と空気に分離され、排気口１５より排気される。
【００１２】
支持部３３は図３に示すように、
掃除機本体１８に形成された支持部材基台３５と支持部材カバー３６でベアリング３０を挟んでネジ３７で止めることで回動機構として構成されている。
【００１３】
この様に組み立てたられた支持部３３に延長管２７を差込み、延長管２７下部の段部に突き当てた後、把手部２４を上方から差し込み、支持部３３の上下を挟み込む形とする事で、上下方向の動きを規制すると共に、掃除機本体１８を操作体２８の延長管２７に対して回動自在に支持している。
【００１４】
この様に構成された掃除機の収納時には、
図２に示す様に操作体２８を床面に対して立てた状態で掃除機本体１８が吸込口体２１の上にくる位置で係止手段により係止され自立状態となる。
【００１５】
また、掃除機の使用時には、
使用者によって操作部２４の把手２３が後方に倒されることで、図１に示されるように掃除機本体１８は支持部３３を中心として重力方向に回転して下部に位置し、接続部２７の周りを回動自在に支持された状態となる。
【００１６】
この状態で使用者により、前後方向に移動させられつつ吸込口体２１から吸込んだ塵埃を、風路を通して集塵部１１に収集する。
【００１７】
掃除は、前後方向への移動と共に左右へも移動しつつ行われるが、例えば前方向に移動しつつ右方向への方向転換は、次のように行われる。
【００１８】
操作部２４の把手２３に対して、前方への力と共に右方向への回転が使用者よって加えられると、操作部２４に接続されている操作体２８が右方向に回転する。
この回転がくの字に曲がった接続部２０によって回動自在に接続された吸込本体１９に伝達される結果、吸込本体１９が右方向に向くことで方向転換が行われる。
【００１９】
この時、操作体２８の回転に対して、掃除機本体１８は支持部３３によって回動自在に支持されているため、操作体２８が回転しても重力方向に留まり回転しない。
【００２０】
以上説明したように、本願実施の形態によれば、
縦型の掃除機において、
一端が使用者に保持される把手２３が設けられている把手部２４よりなり、他端が吸込口体２１の接続部２０に接続される延長管２７よりなる操作体２８の回転に対して、集塵部１１と電動送風機１２が内部に配置された掃除機本体１８を支持部３３によって回動自在に支持する構成としたので、
操作体２８が回転しても掃除機本体１８が重力方向に留まり回転しないことによって、
掃除機の使用時に掃除する方向を変えるための操作体２８の回転に対する、掃除機本体１８の重量の影響を低減することが出来る。
【００２１】
尚、本実施の形態では、掃除機本体１８を回動自在に支持する支持部３３の回動機構としてベアリング３０を用いたが、これに限定されるものではなく、例えば、図３に示される支持部３３中のベアリング３０を省いて、操作体２８を筒状に構成し、支持部材基台３５、支持部材カバー３６で直接この操作体２８を挟む様に構成する等、掃除機本体１８を回動自在に支持出来るものであれば同様に構成することが出来る。
【００２２】
また、本実施の形態では風路の一部として操作体２８、接続部２０を使用しているが、これに限定されるものではなく、例えば、図４に示すように吸込口体２１と掃除機本体１８をホース２６で直接接続して、操作体２８、接続部２０を風路として使用しないものでも同様に構成することが出来る。
【００２３】
また、本実施の形態の電気掃除機を使って、テーブルの下などを掃除するために把手部２４を大きく倒す必要がある場合は、掃除機本体１８を重力方向とは逆の方向に向かって回して回り止め機構によって保持させることで、掃除機本体１８が床面に接触するのを防止することが出来る。
【図面の簡単な説明】
【００２４】
【図１】本発明の実施の形態の電気掃除機の使用時の状態を示す一部断面図
【図２】同上電気掃除機の収納時の状態を示す外観図
【図３】同上支持部の機構を示す斜視図
【図４】同上電気掃除機の他の例を示す外観図
【符号の説明】
【００２５】
１１…集塵部、１２…電動送風機、１８…掃除機本体、１９…吸込本体、２０…接続部、２１…吸込口体、２４…把手部、２８…操作体、３３…支持部。
【図１】
0004664849.tif 000002
【図２】
0004664849.tif 000003
【図３】
0004664849.tif 000004
【図４】
0004664849.tif 000005